(57)【要約】【課題】遊技盤及びこれに付設される基板ユニットだけの変更により遊技内容の変更が行え、基板ユニットの遊技盤に対する取り付けや遊技部品の点検を、デッドスペースを発生させないで簡単に行えるパチンコ機を提供すること。【解決手段】遊技を制御する基板等の各種基板を収容して封止した基板ユニット３０を、本体枠に組み付けられる遊技盤２０の裏面に取り付けたパチンコ機において、基板ユニット３０に複数の挿通孔３４を形成し、これら各挿入孔３４に連結棒４０の先端をそれぞれ挿通し、これら各先端を遊技盤に形成した取付部に挿通して連結することにより、基板ユニット３０を遊技盤の裏面側に取り付けるととももに、各連結棒４０に湾曲部４２を形成して、この湾曲部４２にて基板ユニット３０を起立状態にし得るようにしたこと。【選択図】図５
2008119038.tif 000002
【特許請求の範囲】
【請求項１】
遊技を制御する基板等の各種基板を収容して封止した基板ユニットを、本体枠に組み付けられる遊技盤の裏面に取り付けたパチンコ機において、
前記基板ユニットに複数の挿通孔を形成し、これら各挿入孔に連結棒の先端をそれぞれ挿通し、これら各先端を前記遊技盤に形成した取付部に挿通して連結することにより、前記基板ユニットを前記遊技盤の裏面側に取り付けるととももに、
各連結棒に湾曲部を形成して、この湾曲部にて前記基板ユニットを起立状態にし得るようにしたことを特徴とするパチンコ機。
【発明の詳細な説明】
【技術分野】
【０００１】
本発明は、パチンコ機の構造に関し、特に、当該パチンコ機を制御する制御基板や変動表示手段のための基板等、各種基板を収容した基板ユニットを有するパチンコ機に関するものである。
【背景技術】
【０００２】
パチンコ機における基板ユニットは、当該パチンコ機を制御する基板（例えば大当たり抽選を制御する主制御基板や図柄等の変動表示を行う表示制御基板等の各種基板）を収容したものであるから、非常に重要なものであり、中の基板等を簡単に変更できるようなものであってはならない。このため、この種の基板ユニットには、これに収容された基板を取り出した場合にその痕跡が残るように封止する処理が行われている。
【０００３】
また、この種の基板ユニットは、パチンコ機から容易に取り外すことができないものであることが望ましい。しかし、これとは逆に、この基板ユニットを取り外して基板に搭載された電子部品のチェック等を行うこともあり、パチンコホール（パチンコ店）経営者等による正規の取り外しができるようになっていなければならない。
【０００４】
換言すれば、この種の基板ユニットについては、パチンコ機に対して正規な脱着が行えるようにしておき、かつ、不正な脱着（所謂ゴト行為）に対しては防止できるようになっていなければならず、家屋の「ドアロック」のように、言わば相反することを満足させなければならない。
【０００５】
また、パチンコ機は、パチンコホール（パチンコ店）に設置してあって、パチンコ機を構成している複数の枠体（所謂「島」に取り付けられる「外枠」、遊技盤が取り付けられる「本体枠」遊技盤の前面側を覆う「ガラス枠」等がある）の内の１つである本体枠に対して、図１あるいは図３に示すような「遊技盤」及び「基板ユニット」等を異なる種類のものに交換することにより異なる種類のパチンコ機として使用されるものであるが、「遊技盤」に対して「基板ユニット」を付設した構造とすることによって、パチンコ機に対する着脱作業をそれぞれ別個に行う必要をなくして、作業性を向上するようにしてある。
【０００６】
つまり、パチンコ機の変更について、「基板ユニット」など交換の必要な部品を、同じく交換が必要な遊技盤に対して集約して配置することにより、作業性を向上させているのである。また、これを支持している本体枠、ガラス板、及びこれら以外の球供給装置等をそのまま流用することが行われているし、そのように変更できるようにすることも要求されているのである。
【０００７】
一方、「遊技盤」の裏面側には、「基板ユニット」だけでなく、入賞装置の変動表示装置、各種センサー、基板ユニット内には入らない基板、そしてこれらの配線等の所謂「遊技部品」を収容あるいは配置しなければならないし、これらの「遊技部品」の点検作業も行わなければならない。しかしながら、「遊技盤」の裏面側にはそれ程の空間的余裕がある訳ではないため、上記「遊技部品」の収容あるいは配置を無視して「基板ユニット」を配置することはできない。そこで、一般的には、上記「遊技部品」を「基板ユニット」で覆いながら、あるいは電子機器にとっては余り良くない「重なり」を承知の上で配置しているのが現状である。
【０００８】
以上のようなパチンコ機として、基板ユニットの遊技盤毎の変更によりパチンコ機の変更が行え、ゴト行為が防止できて、しかも基板ユニットによって覆われた遊技部品についても点検を行えるようにした従来技術としては、例えば特許文献１に示されているようなものがある。
【０００９】
このようなパチンコ機の従来技術としては、例えば特許文献１に示されているようなものがある。
【特許文献１】特開２００４−３３６０３号公報、図７、段落００１１
【発明の開示】
【発明が解決しようとする課題】
【００１０】
特許文献１に示された「遊技機」は、「基板ケースを不正に交換しようと企む者がその不正行為（上述したゴト行為）を行いにくくすることのできる遊技機を提供すること」を目的としてなされたもので、図１２に示すように、「遊技盤５の背面には機構盤が配置されている。この機構盤と一部重複するように基板取り付け用パネル１０が遊技盤５の背面に配置されている。基板取り付け用パネル１０の前面には基板ケース５３が配設され基板ケース５３から同パネル１０を挿通するロックピン５５によって同パネル１０にロック状態で接続されている」ものである。
【００１１】
従って、この特許文献１に示された「遊技機」によると、「ロックピン５５のつまみ部５７はパネル１０の後面側に配置されて基板ケース５３前面側からは操作することはできない。そのため、同パネル１０をセットした状態では基板ケース５３を取り外すことはできない。更に同パネル１０の開放にあたって機構盤が邪魔となる」といった作用あるいは効果が得られるものと考えられる。
【００１２】
しかしながら、この特許文献１の技術では、図１３に示すように、基板ユニットを包み込むような２本の連結アームによって基板ユニットを遊技盤の裏面に取り付けるものであるから、基板ユニットと遊技盤との間に配線等の「遊技部品」を配置することが十分できないものとなっている。
【００１３】
これを解消するために、あるいは複数機種間で基板ユニット取付機構の流用を行うために、基板ユニットを遊技盤裏面から大きく離した取付構造を採用すると、パチンコ機の種類によって「遊技部品」の配置や形状が異なった場合には、不正基板等が取り付けられてしまう「デッドスペース」を形成することになって、不正遊技（ゴト行為）を誘発することにもなりかねない。
【００１４】
そこで、本発明者等は、「遊技盤」及びこれに付設される「基板ユニット」だけの変更によりパチンコ機の変更が行え、デッドスペースを発生させないで基板ユニットを遊技盤に取り付けることができ、しかも、基板ユニット内やこれと遊技盤との間にある遊技部品の点検も簡単に行えるようにするにはどうしたらよいか、について種々検討を重ねてきた結果、本発明を完成したのである。
【００１５】
すなわち、本発明の目的とするところは、「遊技盤」及びこれに付設される「基板ユニット」だけの変更により遊技内容の変更が行え、基板ユニットの遊技盤に対する取り付けや遊技部品の点検を、デッドスペースを発生させないで簡単に行えるパチンコ機を提供することにある。
【課題を解決するための手段】
【００１６】
以上の課題を解決するために、本発明の採った手段は、後述する最良形態の説明中で使用する符号を付して説明すると、
「遊技を制御する基板等の各種基板３３を収容して封止した基板ユニット３０を、本体枠１０に組み付けられる遊技盤２０の裏面に取り付けたパチンコ機１００において、
基板ユニット３０に複数の挿通孔３４を形成し、これら各挿入孔３４に連結棒４０の先端４１をそれぞれ挿通し、これら各先端４１を遊技盤２０に形成した取付部２１に挿通して連結することにより、基板ユニット３０を遊技盤２０の裏面側に取り付けるととももに、
各連結棒４０に湾曲部４２を形成して、この湾曲部４２にて基板ユニット３０を起立状態にし得るようにしたことを特徴とするパチンコ機１００」
である。
【００１７】
すなわち、本発明に係るパチンコ機１００は、例えば図３に示すような、遊技を制御する基板等の各種基板３３を収容して封止した基板ユニット３０を、図２または図４〜図６に示すように、本体枠１０に組み付けられる遊技盤２０の裏面に取り付けたものであり、これにより、遊技盤２０及び基板ユニット３０だけの変更により遊技内容の変更が行え、基板ユニット３０の遊技盤２０に対する取り付けや遊技部品の点検を、デッドスペースを発生させないで簡単に行えるようにしたものである。
【００１８】
以上のように構成した本発明に係るパチンコ機１００においては、まず、図１、図２及び図４にて示しているように、遊技盤２０の裏面側に突出する先端４１を有する連結棒４０を、遊技盤２０に形成した取付部２１に先端４１にて挿入して連結するとともに、この先端４１を、図１に示すように、本体枠１０のカバー部分１１で覆うようにしたから、基板ユニット３０の取り外しが非常に困難になっていて、ゴト行為を行いにくくしている。
【００１９】
何故なら、この基板ユニット３０を取り外そうとすると、連結棒４０の先端４１の、遊技盤２０に対する連結を解除しなければならず、この連結棒４０の先端４１の遊技盤２０に対する連結解除を行おうとすれば、その先端４１を覆っている本体枠１０側のカバー部分１１を外さなければならない。つまり、このパチンコ機１００においては、基板ユニット３０を取り外すには非常に時間が掛かるものとなっているのであり、ゴト行為を困難にしているのである。
【００２０】
この種のパチンコ機１００が多数設置してあるパチンコホールにおいては、ゴト行為防止のための種々な警報装置が設置してあり、ホール内に異常があれば、警備会社や警察に直ぐ通報できるようになっている。つまり、ホール入り口の鍵が壊されたり、人が居ないはずの店内に人の動きがあってこれが検知されると、自動的に警察等に通報できるようにしてある。
【００２１】
そのような警備が発達している近年のパチンコホールで行われる「ゴト行為」は、警察官や警備員が到着するまでの短時間内で完了しなければならないが、本発明の連結構造に係るパチンコ機１００では、基板ユニット３０を取り外すには非常に時間が掛かるものとなっているため、ゴト行為が非常に困難になっているのである。つまり、本発明に係る連結構造は、例えば、３分以内にドアロックを解除できなかったピッキング実行者は逃げ出してしまうことを利用した、一般家屋におけるピッキング防止策のような作用を発揮するものである。
【００２２】
特に、図４に示すように、基板ユニット３０を遊技盤２０に連結している連結棒４０の先端４１を、後述する連結部材６０によって連結するようにすれば、この連結棒４０の遊技盤２０からの取り外しは非常に困難になる。何故なら、この連結部材６０の連結解除を行おうとすれば、図１０に示すような解除用具８０が必要だからである。勿論、基板ユニット３０を外さなければならない人は、この解除用具８０を有するから、検査時等の基板ユニット３０の取り外しは問題なく行える。
【００２３】
そして、上記取付構造に係るパチンコ機１００では、基板ユニット３０は遊技盤２０に連結棒４０によって一体化してあるから、この基板ユニット３０が遊技盤２０とともに外すことができる。換言すれば、遊技内容の異なる別の遊技盤２０、及びこの遊技盤２０に適した基板ユニット３０をそっくりそのまま交換できることになり、以前から使用していた本体枠１０はそのまま利用することができるのである。
【００２４】
そして、本発明に係るパチンコ機１００では、図４〜図６に示すように、基板ユニット３０に複数の挿通孔３４を形成し、これら各挿入孔３４に湾曲部４２を有する連結棒４０の先端部４１をそれぞれ挿通し、これら各先端部４１を遊技盤２０に形成した取付部２１に挿通して連結することにより、基板ユニット３０を遊技盤２０の裏面側に取り付けているから、基板ユニット３０を遊技盤２０に対して密着状態で配置することを可能にしているとともに、遊技盤２０と基板ユニット３０との間にある遊技部品９０や基板ユニット３０内の点検を行い易くするための、基板ユニット３０の起立状態への位置調整を自由に行えるようになっている。
【００２５】
何故なら、連結棒４０の先端４１は、例えば図４に示すように、遊技盤２０の取付部２１に挿入して連結するものとなっているから、その挿入量を調整することにより、遊技盤２０裏面に、あるいはこの遊技盤２０裏面に設置してある遊技部品９０の背面への基板ユニット３０の密着状態を簡単に確保することができるからである。この場合、遊技部品９０が図７に示すような部分的な突出部を有するものであるときは、その周囲に配線等に利用できる空間９１を構成することができるは言うまでもない。また、図４中の基板ユニット３０を示す左右２種類の仮想線にて示すように、連結棒４０の先端４１の挿入量が図４に図示したものであっても、遊技部品９０の大きさや不存在に応じて、基板ユニット３０の遊技部品９０または遊技盤２０への密着状態を簡単に調整できるからである。
【００２６】
そして、図７に示すように、図４に示した２本の連結棒４０を連結している留め具５０を外して、各連結棒４０の頸部４４が基板ユニット３０の外側になるように回動させれば、基板ユニット３０を、図７中の実線で示した遊技部品９０に対する密着状態から、図７中の仮想線にて示したような起立状態にすることができるのである。何故なら、各連結棒４０の先端４１と、これとは反対側になる頸部４４との間には、図４にも示すような湾曲部４２が存在しており、この湾曲部４２を基板ユニット３０側の挿通孔３４が通過すれば、基板ユニット３０はその延在方向が変化するからである。
【００２７】
基板ユニット３０が、図７中の仮想線にて示した起立状態になれば、遊技部品９０やその周囲の空間９１は完全に露出状態となるから、この遊技部品９０の点検やメンテナンス、さらには空間９１内の配線のし直し等の作業が簡単に行えることは当然である。勿論、基板ユニット３０が起立状態になれば、この基板ユニット３０内の基板３３等の点検も簡単に行えることも当然である。
【００２８】
図５には、連結棒４０の他の実施例が示してあるが、この連結棒４０は一本の丸棒を折曲して、抜け止め部４５の両端に先端４１がそれぞれ位置するようにするととともに、各先端４１と抜け止め部４５との間に湾曲部４２を形成したものであるが、このような連結棒４０を採用した場合でも、基板ユニット３０は、図５中の実線で示した密着状態と、図５中の仮想線にて示した起立状態との間で自由に状態変更ができるものとなっているのである。
【００２９】
勿論、この図５に示した連結棒４０の抜け止め部４５は、基板ユニット３０側の複数（２つ）の挿通孔３４間に存在しているから、連結棒４０の各先端４１が遊技盤２０側の取付部２１に連結されている以上、文字通り基板ユニット３０の抜け止めを果たしており、当該基板ユニット３０の不正改造や変換を行えないようにしている。
【００３０】
また、図６には、連結棒４０の更に他の実施例が示してあるが、この実施例では、基板ユニット３０に形成した３つの挿通孔３４内にそれぞれ先端４１が挿入されることになる３本の連結棒４０を採用したものであり、これら３本の連結棒４０の先端４１とは反対側の端部を、１つの抜け止め部４５によって一体的に連結したものである。勿論、各連結棒４０の、先端４１と抜け止め部４５との間には湾曲部４２が形成してある。
【００３１】
この図６に例示する連結棒４０によっても、基板ユニット３０は、図６中の実線で示した密着状態と、図６中の仮想線にて示した起立状態との間で自由に状態変更ができるものとなっているのである。勿論、この図６に示した抜け止め部４５は、３つの連結棒４０の外端に一体化されているものであるから、連結棒４０の各先端４１が遊技盤２０側の取付部２１に連結されている以上、文字通り基板ユニット３０の抜け止めを果たしており、当該基板ユニット３０の不正改造や変換を行えないようにしていることは言うまでもない。
【００３２】
従って、本発明に係るパチンコ機１００は、遊技盤２０及び基板ユニット３０だけの変更により遊技内容の変更が行え、基板ユニット３０の遊技盤２０に対する取り付けや遊技部品の点検を、デッドスペースを発生させないで簡単に行えるようになっているのである。
【発明の効果】
【００３３】
以上の通り、本発明においては、
「遊技を制御する基板等の各種基板３３を収容して封止した基板ユニット３０を、本体枠１０に組み付けられる遊技盤２０の裏面に取り付けたパチンコ機１００において、
基板ユニット３０に複数の挿通孔３４を形成し、これら各挿入孔３４に連結棒４０の先端４１をそれぞれ挿通し、これら各先端４１を遊技盤２０に形成した取付部２１に挿通して連結することにより、基板ユニット３０を遊技盤２０の裏面側に取り付けるととももに、
各連結棒４０に湾曲部４２を形成して、この湾曲部４２にて基板ユニット３０を起立状態にし得るようにしたこと」
にその構成上の特徴があり、これにより、遊技盤２０及び基板ユニット３０だけの変更により遊技内容の変更が行え、基板ユニット３０の遊技盤２０に対する取り付けや遊技部品の点検を、デッドスペースを発生させないで簡単に行えるパチンコ機１００を提供することができるのである。
【発明を実施するための最良の形態】
【００３４】
以上のように構成した本発明を、図面に示した最良の形態であるパチンコ機１００について説明する。
【００３５】
図１及び図２には、本発明に係るパチンコ機１００が示してあるが、このパチンコ機１００は、図３に示したような、遊技を制御する基板等の各種基板３３を収容して封止した基板ユニット３０を、本体枠１０に組み付けられる遊技盤２０の裏面に取り付けたものである。
【００３６】
また、このパチンコ機１００は、主として図４に示したように、先端４１が遊技盤２０の裏面側に突出する連結棒４０を基板ユニット３０に設けて、この連結棒４０を遊技盤２０に形成した取付部２１に挿入して連結するとともに、図１に示したように、この連結棒４０の先端４１を本体枠１０のカバー部分１１で覆うようにしたものである。勿論、基板ユニット３０には、図３に示したように、各連結棒４０の先端４１を挿通するための挿通孔４３が複数形成してある。
【００３７】
本体枠１０は、図１に概略的に示したように、図３及び図４に示したような遊技盤２０を支持するものである。パチンコ機１００を構成している枠体としては、所謂「島」に取り付けられる「外枠」、遊技盤が取り付けられる「本体枠」、遊技盤の前面側を覆う「ガラス枠」等複数あるが、ここで言っている本体枠１０は、遊技盤２０が取り付けられるものである。そして、この本体枠１０は、これに取り付けられた遊技盤２０の前面側の、例えば４隅に位置することになる部分に飾り枠が一体化されるものであり、これらの飾り枠の一部が、図１中の仮想線にて示したようなカバー部分１１となるものである。
【００３８】
このカバー部分１１は、後述する連結棒４０の先端４１を覆うことになるものであり、遊技盤２０を本体枠１０から外さない限り、連結棒４０の先端４１を露出させることができないようにするものである。なお、この本体枠１０の前面側には、遊技盤２０の前面との間に遊技空間を形成するためのガラス板１２が取り付けられる。
【００３９】
遊技盤２０の前面は、例えば図１に示したように、多数の釘が打ち込まれてパチンコ球が複雑に落下することになる遊技空間を形成することになるものであり、その中央には種々な変動表示装置が取り付けられるものである。そして、この遊技盤２０の、例えば右下部分に貫通孔または切り欠きからなる取付部２１が形成してあり、この取付部２１には、後述する連結棒４０の先端４１が挿入されるものである。
【００４０】
基板ユニット３０は、例えば図２及び図３に示すように、上カバー３１と下カバー３２とからなり、上カバー３１は下カバー３２に対して横方向にスライドさせない限り開放できないものである。なお、これらの上カバー３１と下カバー３２との閉止位置での連結は、公知の連結材を使用してなされるものであり、無理に開けた場合にはその痕跡が残るようにしてある。勿論、当該基板ユニット３０内には基板３３が収容されるものであり、その検査時には、上記連結材を破壊して上カバー３１と下カバー３２とが開放されるものである。
【００４１】
連結棒４０は、種々な形状のものが適用できるが、図４及び図７に示したものでは、金属丸棒を途中に湾曲部４２が存在するように折曲したものを２本用意して、その一端部を先端４１としたものであり、これら各先端４１に、図８に示したように、多数の係止突起４３を形成したものである。
【００４２】
この連結棒４０は、図４に示したように、基板ユニット３０の一部に形成した連結穴内に挿通されて、各頸部４４にて留め具５０内に連結される２本のものからなるものであり、その先端４１は、遊技盤２０の取付部２１内に挿通した連結部材６０、この連結部材６０内に収容した爪７０、及び解除用具８０によって連結されるものである。勿論、各連結棒４０の頸部４４までの部分は、図４に示したように、湾曲部４２となっており、この湾曲部４２にて曲がることにより、対向させた各頸部４４での留め具５０による連結が簡単に行えるようにしてある。
【００４３】
２本の連結棒４０は、図４にて示したように、留め具５０によって互いに連結されるものであるが、この留め具５０は、図１１に示したようなものである。すなわち、この留め具５０は、合成樹脂によって半円筒状に成形した各半身５０ａ・５０ｂをヒンジ５１によって連結しておいて、これら各半身５０ａ・５０ｂを折り畳むことにより、図１１の（ｃ）にて示したような円筒状のものとされるものである。勿論、各半身５０ａ・５０ｂには、図１１の（ａ）にて示したように、連結棒４０側の頸部４４が挿入される一対の頸部収納溝５２が形成してあり、また、各半身５０ａ・５０ｂの周辺には、図１１の（ｂ）にても示したような連結突起５３、この連結突起５３が嵌合される連結穴５４が形成してあって、これらの連結突起５３が連結穴５４内に嵌合されたとき、図１１の（ｃ）にても示したように、円筒状のものとされる。
【００４４】
この円筒状になった、つまり２本の連結棒４０の頸部４４を互いに連結している留め具５０は、各連結突起５３の連結穴５４に対する嵌合を外せば、２本の連結棒４０の頸部４４を開放することになるから、図７にも示したように、各連結棒４０は回転し得るものとなる。従って、各連結棒４０によって遊技盤２０側に連結されていた基板ユニット３０は、図７に示したように、連結棒４０の長さの範囲内で、遊技盤２０の裏面から自由に引き離すことができるものとなる。そこで、基板ユニット３０を構成している前述した上カバー３１を下カバー３２に対して開くことが簡単に行えることになり、当該基板ユニット３０内に収容した基板３３の検査を簡単に実施できることになるのである。
【００４５】
また、各連結棒４０の先端４１については、図４及び図９に示したように、多数の係止突起４３が形成してあり、これらの係止突起４３には、後述する爪７０の爪部７２が係合するものである。また、２本の連結棒４０は、その各先端４１を遊技盤２０側の取付部２１に、連結部材６０によって連結してあったが、この連結部材６０内には、図９にも示すように、爪７０や解除用具８０が挿入してあった。この最良形態における連結部材６０は、図４及び図９に示したように、遊技盤２０の取付部２１内に挿入される筒部６１を有しており、この筒部６１の遊技盤２０側になる、図９の（ｂ）に示したようなフランジ基部６２によって取付部２１に対する抜け止めがなされる。
【００４６】
この筒部６１内には、図９に示したように、後述する爪７０や解除用具８０のための挿入口６３が形成してあり、この挿入口６３の遊技盤２０とは反対側になる端部は連結棒４０の先端４１が通せる程度の細い穴を有した部分としてある。また、この筒部６１内に形成した挿入口６３の周囲には、図９の（ｂ）に示したように、複数の案内溝６４が形成してある。各案内溝６４内には、例えば解除用具８０の案内部８２が挿入されることになるものであり、これによって解除用具８０の位置が正しくなるようにされる。
【００４７】
爪７０は、図９に示したように、連結部材６０の筒部６１の内の端部に収容されるものであり、図９に示したように、基部７０ａから挿入溝７３を確保しながら遊技盤２０側に向けて突出することになる複数の弾性舌片７１を有しているものである。各弾性舌片７１の先端内側には、図９の（ａ）にも示したように、爪部７２が形成してあり、これら各爪部７２は、図９の（ｃ）に示したように、連結棒４０の先端４１に形成してある各係止突起４３間に係合することになるものである。つまり、各爪部７２は、連結部材６０の筒部６１内に挿入された連結棒４０の先端４１を、その挿入位置で固定するものである。これら各爪部７２による固定は、次の解除用具８０の侵入を待たなければならない。
【００４８】
また、各弾性舌片７１間に位置する挿入溝７３内には、図９の（ａ）にて示すように、解除用具８０の案内部８２が挿入されることになるものであり、これら各挿入溝７３は、解除用具８０の挿入を確実にするための案内を行うものである。
【００４９】
解除用具８０は、図９及び図１０に示したように、基本的には連結棒挿入穴８３を有する筒基部８０ａからなるものであり、この筒基部８０ａの外周には、連結部材６０側の筒部６１に形成してある案内溝６４内に挿入されることになる複数の案内部８２が形成してある。これら各案内部８２の先端には、テーパ部８１が形成してあり、このテーパ部８１は、当該解除用具８０が筒部６１の挿入口６３内に強制的に挿入されたとき、爪７０側の爪部７２を外側に押し広げるものである。
【００５０】
以上のような連結部材６０、爪７０、及び解除用具８０によれば、連結棒４０の先端４１の、遊技盤２０の取付部２１に対する連結またはこの連結の解除を、次のように行う。まず、連結棒４０の先端４１の、遊技盤２０の取付部２１に対する連結であるが、この連結状態は図９に示してある。つまり、この連結状態においては、爪７０の各弾性舌片７１が自然状態にあるから、その先端に形成してある各爪部７２は、連結棒４０の先端４１に形成してある係止突起４３に係合した状態にある。つまり、連結部材６０の挿入口６３及び解除用具８０の連結棒挿入穴８３内に挿入されている連結棒４０の先端４１は、遊技盤２０の取付部２１に連結された状態にある。
【００５１】
これに対して、連結棒４０の先端４１の、遊技盤２０の取付部２１に対する連結の解除は、連結部材６０の筒部６１内の挿入口６３に解除用具８０を強制的に挿入することによって実現される。つまり、解除用具８０を強制的に挿入すれば、解除用具８０の各案内部８２に形成してあるテーパ部８１によって、爪７０側の各爪部７２が外側に強制的に開放されるから、各爪部７２の、連結棒４０の先端４１に形成してある係止突起４３への係合が解かれることになるのである。
【００５２】
図５には、連結棒４０の他の実施例が示してあるが、この連結棒４０は一本の丸棒を折曲して、抜け止め部４５の両端に先端４１がそれぞれ位置するようにするととともに、各先端４１と抜け止め部４５との間に湾曲部４２を形成したものである。このため、基板ユニット３０側には、各先端４１を挿通するための２個の挿通孔３４が形成してあり、これら各挿通孔３４に対向する遊技盤２０側にも、それぞれ取付部２１が形成してあることは言うまでもない。このような一本で２個の先端４１を有した連結棒４０を採用した場合でも、基板ユニット３０は、図５中の実線で示した密着状態と、図５中の仮想線にて示した起立状態との間で自由に状態変更ができる。
【００５３】
勿論、この図５に示した連結棒４０の抜け止め部４５は、基板ユニット３０側の複数（２つ）の挿通孔３４間に存在しているから、連結棒４０の各先端４１が遊技盤２０側の取付部２１に連結されているままであれば、文字通り基板ユニット３０の抜け止めを果たしており、当該基板ユニット３０の取り外しは当然、この基板ユニット３０の不正改造や変換は行えなくなっている。
【００５４】
また、図６には、連結棒４０の更に他の実施例が示してあるが、この実施例では、基板ユニット３０に形成した３つの挿通孔３４内にそれぞれ先端４１が挿入されることになる３本の連結棒４０を採用したものであり、これら３本の連結棒４０の先端４１とは反対側の端部を、１つの抜け止め部４５によって一体的に連結したものである。勿論、各連結棒４０の、先端４１と抜け止め部４５との間には湾曲部４２が形成してある。
【００５５】
この図６に例示する連結棒４０によっても、基板ユニット３０は、図６中の実線で示した密着状態と、図６中の仮想線にて示した起立状態との間で自由に状態変更ができるものとなっているのである。勿論、この図６に示した抜け止め部４５は、３つの連結棒４０の外端に一体化されているものであるから、連結棒４０の各先端４１が遊技盤２０側の取付部２１に連結されている以上、文字通り基板ユニット３０の抜け止めを果たしており、当該基板ユニット３０の不正改造や変換が行えないことは言うまでもない。
【図面の簡単な説明】
【００５６】
【図１】本発明に係るパチンコ機において採用されている遊技盤の正面図である。
【図２】同遊技盤の背面側から見た斜視図である。
【図３】同遊技盤に取り付けられている基板ユニットの、上カバーを下カバーから引き出して基板を収容しようとしている状態を示す分解斜視図である。
【図４】図１に示した連結棒を中心にして見た部分拡大縦断面図である。
【図５】本発明で使用している連結棒の他の例を示す部分斜視図である。
【図６】本発明で使用している連結棒のさらに他の例を示す部分斜視図であ    る。
【図７】２本の連結棒の連結を解除して、一本の連結棒を回転させた状態の部分平面図である。
【図８】図４に示した同連結棒の連結構造を示すもので、（ａ）は部分拡大縦断面図、（ｂ）は遊技盤側から見た連結部材の正面図、（ｃ）は連結棒の連結構造を示す部分拡大横断面図である。
【図９】図４に示した連結構造において使用される爪を示すもので、（ａ）は斜視図、（ｂ）は正面図、（ｃ）は側面図である。
【図１０】図４に示した連結構造において使用される解除用具を示すもので、（ａ）は側面図、（ｂ）は正面図、（ｃ）は斜視図である。
【図１１】２本の連結棒を連結するための留め具を示すもので、（ａ）は展開時の平面図、（ｂ）は展開時の正面図、（ｃ）は一体化時の正面図である。
【図１２】従来の技術を示す斜視図である。
【図１３】図１２に示したものについて、その基板ユニットの取付状態を示す部分拡大平面図である。
【符号の説明】
【００５７】
１００    パチンコ機
１０    本体枠
１１    カバー部分
１２    ガラス板
２０    遊技盤
２１    取付部
３０    基板ユニット
３１    上カバー
３２    下カバー
３３    基板
４０    連結棒
４１    先端
４２    湾曲部
４３    係止突起
４４    頸部
４５    抜け止め部
５０    留め具
５０ａ・５０ｂ  半身
５１    ヒンジ
５２    頸部収納溝
５３    連結突起
５４    連結穴
５５    挿入口
６０    連結部材
６１    筒部
６２    フランジ基部
６３    挿入口
６４    案内溝
７０    爪
７０ａ  基部
７１    弾性舌片
７２    爪部
７３    挿入溝
８０    解除用具
８０ａ  筒基部
８１    テーパ部
８２    案内部
８３    連結棒挿入穴
９０    遊技部品
９１    空間
【図１】
2008119038.tif 000003
【図２】
2008119038.tif 000004
【図３】
2008119038.tif 000005
【図４】
2008119038.tif 000006
【図５】
2008119038.tif 000007
【図６】
2008119038.tif 000008
【図７】
2008119038.tif 000009
【図８】
2008119038.tif 000010
【図９】
2008119038.tif 000011
【図１０】
2008119038.tif 000012
【図１１】
2008119038.tif 000013
【図１２】
2008119038.tif 000014
【図１３】
2008119038.tif 000015